(57)【要約】      （修正有）【課題】省エネ・環境保全に繋がるだけでなく、雨の日や夜などにも光の照射をして、植物の生長を促進するＬＥＤ植物生長ランプを提供する。【解決手段】ＬＥＤ植物生長ランプは、ブラケット１とＧａＮ系藍色光チップ３からなり、ＧａＮ系藍色光チップ３はブラケット１上に設置され、ＧａＮ系藍色光チップ３の表面には赤色蛍光粉末層４がコーティングされている。パッケージ構造は、シーラント層や、レンズ、プラスチックジャケットおよびアルミニウム基板が含まれており、シーラント層は赤色蛍光粉末層４上にコーティングされ、レンズはシーラント層に接着され、プラスチックジャケットは粘着剤層によってレンズと固定接続され、さらにプラスチックジャケットはアルミニウム基板上に設置される。【選択図】図１
0003182317.tif 000002
【実用新案登録請求の範囲】
【請求項１】
ブラケット（１）とＧａＮ系藍色光チップ（３）を含み、前記ＧａＮ系藍色光チップ（３）は前記ブラケット（１）上に設置され、前記ＧａＮ系藍色光チップ（３）の表面には赤色蛍光粉末層（４）がコーティングされていることを特徴とするＬＥＤ植物生長ランプ。
【請求項２】
前記赤色蛍光粉末層（４）は窒化物の赤色蛍光粉末層からなり、前記ＧａＮ系藍色光チップ（３）は粘着層（２）によって窒化物の赤色蛍光粉末層（４）と接着されてインテグラル構造となることを特徴とする請求項１に記載のＬＥＤ植物生長ランプ。
【請求項３】
前記粘着層（２）はシリカゲル層又はエポキシ樹脂層からなることを特徴とする請求項２に記載のＬＥＤ植物生長ランプ。
【請求項４】
前記ＧａＮ系藍色光チップ（３）上に設置さえる正負極チップは、導線（５）によってブラケット（１）上に設置される正負極チップと接続されることを特徴とする請求項１に記載のＬＥＤ植物生長ランプ。
【請求項５】
シーラント層（６）や、レンズ（７）、プラスチックジャケット（８）およびアルミニウム基板（９）を含み、前記シーラント層（６）は前記赤色蛍光粉末層（４）上にコーティングされ、前記レンズ（７）は前記シーラント層（６）に接着され、前記プラスチックジャケット（８）は粘着剤層（１０）によって前記レンズ（７）と固定接続され、さらに前記プラスチックジャケット（８）は前記アルミニウム基板（９）上に設置されることを特徴とする請求項１〜４のいずれか一に記載のＬＥＤ植物生長ランプ。
【請求項６】
前記導線（５）は出力電極（１１）によって前記アルミニウム基板（９）と接続されることを特徴とする請求項５に記載のＬＥＤ植物生長ランプ。
【考案の詳細な説明】
【技術分野】
【０００１】
本考案は植物生長ランプ分野に関するもので、特にＬＥＤ植物生長ランプに関するものである。
【背景技術】
【０００２】
植物の生長は光の照射がなければならなく、特にビニルハウス中の野菜の場合には、合理的な光の照射は、生長を促進するだけでなく、果実が太陽光が当たらないことによる病気、腐乱などを防げる。通常の情況では、野菜ビニルハウスには蛍光灯を設置して、雨の日や夜などの植物への光の照射に使われ、植物の快速生長を促進している。しかし、このような蛍光灯から出るスペクトルの中には少量のスペクトルだけが植物の光合成に利用され、しかも、蛍光灯自体が大量の熱量を放出するので、光の照射利用率が低く、ビニルハウス野菜の栽培コストも高くなる。
【考案の概要】
【考案が解決しようとする課題】
【０００３】
本考案の課題は、既存技術の欠点に対応して、ＬＥＤ植物生長ランプを提供することである。
【課題を解決するための手段】
【０００４】
本考案は、ブラケットとＧａＮ系藍色光チップを含み、前記ＧａＮ系藍色光チップは前記ブラケット上に設置され、前記ＧａＮ系藍色光チップの表面には赤色蛍光粉末層がコーティングされている、ＬＥＤ植物生長ランプである。本考案のＬＥＤ植物生長ランプは省エネ・環境保全に繋がるだけでなく、雨の日や夜などにも光の照射を提供して、植物の生長を促進することができる。
【０００５】
本考案のＬＥＤ植物生長ランプの改良手段として、前記赤色蛍光粉末層は窒化物の赤色蛍光粉末層からなり、前記ＧａＮ系藍色光チップは粘着層によって窒化物の赤色蛍光粉末層と接着されてインテグラル構造となり、前記ＧａＮ系藍色光チップからでる藍色光は窒化物の赤色蛍光粉末層から出る赤色光と２つの波長帯が形成され、ちょうど植物の光合成に吸収されるスペクトルと合致するので、植物の生長を促進することができる。藍色光は緑葉の生長を促進し、赤色光は開花と実りおよび花期の延長に有利で、しかも、視覚的効果上、赤色と藍色を組み合わせた植物ＬＥＤランプはピンクの色となっているので、和やかで暖かい感じがする。
【０００６】
本考案のＬＥＤ植物生長ランプにおいて、前記赤色の蛍光粉末層は６１０ｎｍ〜７２０ｎｍ波長の赤色を発光できる蛍光粉末層からなり、前記ＧａＮ系藍色光チップは粘着層によって、６１０ｎｍ〜７２０ｎｍ波長の赤色を発光できる蛍光粉末層とインテグラル構造を形成し、前記ＧａＮ系藍色光チップから出る藍色光は６１０ｎｍ〜７２０ｎｍ波長の赤色を発光できる蛍光粉末層から出る赤色と２つの波長帯を形成する。本考案では単一のＧａＮ系藍色光チップによって激発される窒化物赤色蛍光粉末層又は６１０ｎｍ〜７２０ｎｍ波長の赤色を発光できる蛍光粉末層のパッケージングによって形成されるスモールパワー又はビッグパワーのＬＥＤ固体光源を使用している。
【０００７】
本考案のＬＥＤ植物生長ランプの改良手段として、前記粘着層はシリカゲル粘着層又はエポキシ樹脂粘着層である。
【０００８】
本考案のＬＥＤ植物生長ランプの改良手段として、前記ＧａＮ系藍色光チップ上に設置さえる正負極チップは、導線によってブラケット上に設置される正負極チップと接続され、チップ上の正負極はブラケット上の正負極と金線で溶接される。
【０００９】
また、本考案のＬＥＤ植物生長ランプは、シーラント層や、レンズ、プラスチックジャケットおよびアルミニウム基板を含み、前記シーラント層は前記赤色蛍光粉末層上にコーティングされ、前記レンズは前記シーラント層に接着され、前記プラスチックジャケットは粘着剤層によって前記レンズと固定接続され、さらに前記プラスチックジャケットは前記アルミニウム基板上に設置される。
【００１０】
前記導線は出力電極によって前記アルミニウム基板と接続される。
【考案の効果】
【００１１】
既存技術の窒化物の赤色蛍光粉末層の調製プロセスは煩雑で、生産コストが高いが、上記方法による窒化物蛍光粉末の調製プロセスは簡単で、生産コストも低い。このような調製方法によって調製されたＬＥＤ植物生長ランプは実用性が強い。ＬＥＤ植物生長ランプは雨の日や夜にも植物に照明を提供することによって、植物の生長を促進することができ、省エネが可能であるだけでなく、環境に優しい。
【図面の簡単な説明】
【００１２】
【図１】図１は本考案の構造見取り図である。
【図２】図２は本考案の固体光源のパッケージフローチャートである。
【図３】図３は本考案の見取り図である。
【考案を実施するための形態】
【００１３】
以下では添付図と具体的な実施方式を合わせて、本考案およびその技術効果に対して詳しく説明するが、本考案はこれに限るものではない。
【実施例１】
【００１４】
図１と図３に示されているのは、ブラケット１とＧａＮ系藍色光チップ３を含み、前記ＧａＮ系藍色光チップ３は前記ブラケット１上に設置され、前記ＧａＮ系藍色光チップ３の表面には赤色蛍光粉末層４がコーティングされる、ＬＥＤ植物生長ランプである。
【００１５】
本考案のＬＥＤ植物生長ランプにおいて、赤色蛍光粉末層４には窒化物の赤色の蛍光粉末層が含まれ、ＧａＮ系藍色光チップ３から出る藍色光は窒化物の赤色蛍光粉末層から出る赤色光と２つの波長帯が形成され、ＧａＮ系藍色光チップ３はシリカゲル２又はエポキシ樹脂によって、窒化物の赤色蛍光粉末層とインテグラル構造となる。シリカゲル又はエポキシ樹脂は１：１０の質量比で赤色の蛍光粉末と撹拌され、その後、所定の比例で配合された粘着剤混合物によってＧａＮ系藍色光チップ３に接着される。本考案によって発生されるスペクトルには、ＧａＮ系チップ３から出る藍色光と窒化物の蛍光粉末層から出る赤色の２つの波長帯が含まれ、ちょうど植物の光合成に吸収されるスペクトルと合致するので、植物の成長を促進することができる。
【００１６】
本考案のＬＥＤ植物生長ランプにおいて、赤色蛍光粉末層４には、６５０ｎｍ波長の赤色を発光できる蛍光粉末層が含まれており、ＧａＮ系藍色光チップ３から出る藍色光は６５０ｎｍ波長をの赤色を発光できる蛍光粉末層と２つの波長帯が形成され、赤色の蛍光粉末層から６５０ｎｍ波長の光が出ると、この時のスペクトルは植物光合成に必要とするスペクトルに最適で、植物の生長に最も有利である。
【００１７】
また、ＧａＮ系藍色光チップ３は、シリカゲル層２又はエポキシ樹脂層によって、６５０ｎｍ波長の赤色を発光できる赤色蛍光粉末層とインテグラル構造を構成し、シリカゲル又はエポキシ樹脂を１：１０の質量比で、６５０ｎｍ波長の赤色を発光できる赤色蛍光粉末層と撹拌し、その後、所定の比例で配合された粘着剤混合物によってＧａＮ系藍色光チップ３に接着され、ＧａＮ系藍色光チップ３上に設置される正負極は導線５によってブラケット１上に設置される正負極と接続されるが、導線５は金線である。
【００１８】
また、本考案のＬＥＤ植物生長ランプは、シーラント層６や、レンズ７、プラスチックジャケット８およびアルミニウム基板９を含み、前記シーラント層６は前記赤色蛍光粉末層４上にコーティングされ、前記レンズ７は前記シーラント層６に接着され、前記プラスチックジャケット８は粘着剤層１０によって前記レンズ７と固定接続され、さらに前記プラスチックジャケット８は前記アルミニウム基板９上に設置される。
【００１９】
好ましくは、導線５は出力電極１１によってアルミニウム基板９と接続される。
【実施例２】
【００２０】
図１と図３に示されているのは、ブラケット１とＧａＮ系藍色光チップ３を含み、前記ＧａＮ系藍色光チップ３は前記ブラケット１上に設置され、前記ＧａＮ系藍色光チップ３の表面には赤色蛍光粉末層４がコーティングされる、ＬＥＤ植物生長ランプである。
【００２１】
本ＬＥＤ植物生長ランプにおいて、赤色蛍光粉末層４には窒化物の赤色の蛍光粉末層が含まれ、ＧａＮ系藍色光チップ３から出る藍色光は窒化物の赤色蛍光粉末層から出る赤色光と２つの波長帯が形成され、ＧａＮ系藍色光チップ３はシリカゲル２又はエポキシ樹脂によって、窒化物の赤色蛍光粉末層とインテグラル構造となる。シリカゲル又はエポキシ樹脂は２：１０の質量比で赤色の蛍光粉末と撹拌され、その後、所定の比例で配合された粘着剤混合物によってＧａＮ系藍色光チップ３に接着される。本考案によって発射されるスペクトルには、ＧａＮ系チップ３から出る藍色光と窒化物の蛍光粉末層から出る赤色の２つの波長帯が含まれ、ちょうど植物の光合成に吸収されるスペクトルと合致するので、植物の成長を促進することができる。
【００２２】
本ＬＥＤ植物生長ランプにおいて、赤色蛍光粉末層４には、７１０ｎｍ波長の赤色を発光できる蛍光粉末層が含まれており、ＧａＮ系藍色光チップ３から出る藍色光は７１０ｎｍ波長をの赤色を発光できる蛍光粉末層と２つの波長帯が形成され、赤色の蛍光粉末層から７１０ｎｍ波長の光が出ると、この時のスペクトルは植物光合成に必要とするスペクトルに最適で、植物の生長に最も有利である。
【００２３】
また、ＧａＮ系藍色光チップ３は、シリカゲル層２又はエポキシ樹脂層によって、７１０ｎｍ波長の赤色を発光できる赤色蛍光粉末層とインテグラル構造を構成し、シリカゲル又はエポキシ樹脂を２：１０の質量比で、７１０ｎｍ波長の赤色を発光できる赤色蛍光粉末層と撹拌し、その後、所定の比例で配合された粘着剤混合物によってＧａＮ系藍色光チップ３に接着され、ＧａＮ系藍色光チップ３上に設置される正負極は導線５によってブラケット１上に設置される正負極と接続されるが、導線５は金線である。
【００２４】
また、本ＬＥＤ植物生長ランプは、シーラント層６や、レンズ７、プラスチックジャケット８およびアルミニウム基板９を含み、前記シーラント層６は前記赤色蛍光粉末層４上にコーティングされ、前記レンズ７は前記シーラント層６に接着され、前記プラスチックジャケット８は粘着剤層１０によって前記レンズ７と固定接続され、さらに前記プラスチックジャケット８は前記アルミニウム基板９上に設置される。
【００２５】
好ましくは、導線５は出力電極１１によってアルミニウム基板９と接続される。
【００２６】
既存技術の窒化物の赤色蛍光粉末層の調製プロセスは煩雑で、生産コストが高いが、上記方法による窒化物蛍光粉末の調製プロセスは簡単で、生産コストも低い。このような調製方法によって調製されたＬＥＤ植物生長ランプは実用性が強い。本考案のＬＥＤ植物生長ランプにおいて、植物ＬＥＤ固体光源パッケージのプロセスは図２に示されている通りで、図２に示されているのは植物ＬＥＤ個体光源パッケージフローチャートで、植物ＬＥＤ固体光源のパッケージプロセスを説明したものである。
【００２７】
上記明細書での掲載とアドバイスによって、本考案の所属分野の技術者なら、上記実施方式に対して適当な変更と修正を行うことができる。そのため、本考案は上記に記載された内容と具体的な実施方式に限るものではなく、本考案に対しる修正と変更も本考案の権利請求の範囲に所属される。これだけでなく、本明細書には一部の特定の用語が使われているが、これらの用語は説明の便利を図ったもので、本考案に対していかなる制限条件にもならない。
【図１】
0003182317.tif 000003
【図２】
0003182317.tif 000004
【図３】
0003182317.tif 000005